(57)【特許請求の範囲】
【請求項１】
鉄筋コンクリート製の柱体の下端には下部に尖端を備えた鉄製の基部を、該柱体の鉄筋の下部に備えさせたおねじと該おねじに対応する基部のめねじとにより、固定してなる支持杭を予め多数本製造し、
鉄筋コンクリート製の板状体の上縁に係止部を備えさせてなる防護板を予め多数枚製造し、
ヘリコプターにより空中から前記支持杭を傾斜地に投下して該支持杭の基部を地中に埋入することにより、多数本の支持杭を柱体が地上に突出した状態で該傾斜地に所定の間隔を置いて立設し、
続いて、前記防護板を前記係止部を介してヘリコプターにより吊り下げて該防護板を該傾斜地における前記支持杭の上側にて該支持杭に立て掛けた状態で立設することにより、該傾斜地に多数枚の防護板を連続させた状態で配設して連続防護板を形成し、
該連続防護板を該傾斜地に多数段設けることを特徴とする富士山の崩壊予防方法。
【発明の詳細な説明】
【０００１】
【発明の属する技術分野】
本発明は、富士山の崩壊予防方法に関するものであり、更に詳しくは富士山大沢崩れに絶え間なく続いている土砂の崩落を防止することにより富士山の崩壊を予防する方法に係るものである。
【０００２】
【従来の技術】
富士山大沢崩れにおいては、山頂から標高約２，０００メートルの高さまで、長さ約２，０００メートル、幅約５００メートル、深さ約１５０メートルにわたって土砂の崩落が長年続いている。このような土砂の崩落を放置すれば、わが国の国宝ともいうべき美しい富士山は、やがては崩壊、変形するおそれがある。
【０００３】
そこで、富士山大沢崩れにおける崩壊を防止するために、床固式低ダム工、渓岸保護工、斜面基礎工、覆式落石防護網工等の試験施工が行われている。
【０００４】
【発明が解決しようとする課題】
上記各工法は、いずれも工事に長い期間と膨大な費用を要すると共に、土砂の崩落による作業員の危険を伴うものである。
【０００５】
本発明は、上記従来の工法における上述の如き問題を解決し、短期間で安全に且つ少ない費用で施工することができる富士山の崩壊予防方法を提供するものである。
【０００６】
【課題を解決するための手段】
上記課題を解決するために、本発明は下記の富士山の崩壊予防方法を提供する。
【０００７】
鉄筋コンクリート製の柱体の下端には下部に尖端を備えた鉄製の基部を、該柱体の鉄筋の下部に備えさせたおねじと該おねじに対応する基部のめねじとにより、固定してなる支持杭を予め多数本製造し、
鉄筋コンクリート製の板状体の上縁に係止部を備えさせてなる防護板を予め多数枚製造し、
ヘリコプターにより空中から前記支持杭を傾斜地に投下して該支持杭の基部を地中に埋入することにより、多数本の支持杭を柱体が地上に突出した状態で該傾斜地に所定の間隔を置いて立設し、
続いて、前記防護板を前記係止部を介してヘリコプターにより吊り下げて該防護板を該傾斜地における前記支持杭の上側にて該支持杭に立て掛けた状態で立設することにより、該傾斜地に多数枚の防護板を連続させた状態で配設して連続防護板を形成し、
該連続防護板を該傾斜地に多数段設けることを特徴とする富士山の崩壊予防方法。
【０００８】
【作用】
各支持杭は鉄筋コンクリート製の柱体の下端には下部に尖端を備えた鉄製の基部を固定してなるものであり、柱体に比べて基部の重量が大きい。従って、支持杭をヘリコプターにより空中から傾斜地に投下して該支持杭の基部を地中に埋入させ、柱体を地上に突出させた状態で該支持杭を該傾斜地に立設することができる。ヘリコプターは、支持杭の鉄製基部が傾斜地に埋入するに足る高度から傾斜地に支持杭を勢いよく投下し、打ち込む。
【０００９】
防護板もヘリコプターにより吊り下げて該防護板を傾斜地における支持杭の上側に該支持杭に立て掛けた状態で立設する。防護板は空中から傾斜地に勢いよく投下するのではなく、傾斜地に静かに降ろし、支持杭に立て掛けるのである。
【００１０】
即ち、支持杭を傾斜地に立設する作業も、防護板を該傾斜地に立設する作業も、ヘリコプターにより空中から行うことができる。
【００１１】
傾斜地に多数枚の防護板を連続させた状態で配設してなる連続防護板は土砂の崩落を防止する。この連続防護板を該傾斜地に多数段設けることにより、土砂の崩落は確実に防止される。
【００１２】
【発明の実施の形態】
次に、本発明の実施の形態を添付図面に従って説明する。
【００１３】
本発明による富士山の崩壊予防方法は下記の通りである。
【００１４】
（１）支持杭の製造（図４、図５参照）
多数本の支持杭１を予め製造する。各支持杭１は、鉄筋コンクリート製の柱体３の下端３ａには下部に尖端１５を備えた鉄製の基部１１を固定してなるものである。符号９に示すものは鉄筋５の下部７に備えさせたおねじである。符号１３に示すものは基部１１に備えさせためねじであり、該めねじ１３はおねじ９に対応する。
【００１５】
鉄製の基部１１の重量は、一例として、支持杭1全体の重量の約２／３とする。また、基部１１における尖端１５の角度１７（図５参照）は一例として約３０度とする。
【００１６】
なお、支持杭１における柱体３は基部１１よりも若干小径に形成することにより、支持杭１の打ち込み時における該柱体３と土砂との摩擦を小さくすることが望ましい。
【００１７】
（２）防護板の製造（図６、図７参照）
防護板２１を予め多数枚製造する。各防護板２１は、鉄筋コンクリート製の板状体２３の上縁２３ａに係止部２５を備えさせてなるものである。係止部２５は板状体２３内の鉄筋２７を板状体２３の上縁２３ａより上方に突出させると共に該鉄筋２７の上端を例えば環状に形成してなるものとする。この場合、上端に係止部２５を備えている鉄筋２７は板状体２３内において下端を屈曲させて屈曲部２９を形成することにより、該防護板２１を該係止部２５を介してヘリコプターにより吊り下げたときに該鉄筋２７が抜け出すことを防止することが望ましい。符号３１に示すものは、上端に係止部２５を備えた鉄筋２７以外の鉄筋である。
【００１８】
図７においては、縦方向の鉄筋３１と横方向の鉄筋３１との交差部３３を鉄線３４により結束している。
【００１９】
（３）支持杭の立設
ヘリコプターにより空中から支持杭１を傾斜地３５に投下して該支持杭１の基部１１を地中に埋入することにより、多数本の支持杭１を柱体３が地上に突出した状態で該傾斜地３５に所定の間隔を置いて立設する。
【００２０】
（４）連続防護板の形成
防護板２１を係止部２５を介してヘリコプターにより吊り下げて該防護板２１を傾斜地３５における支持杭１の上側（図２における左側）にて該支持杭１に立て掛けた状態で立設することにより、該傾斜地３５に多数枚の防護板２１を連続させた状態で配設して連続防護板３８を形成する。
【００２１】
防護板２１を係止部２５を介してヘリコプターにより吊り下げる際には、一例として、下端にフック部３７を有するワイヤ等の吊り下げ紐３９をヘリコプターに備えさせ、該吊り下げ紐３９のフック部３７に防護板２１の係止部２５を係止する。防護板２１を傾斜地３５における支持杭１の上側にて支持杭１に立て掛けた後、吊り下げ紐３９のフック部３７を防護板２１の係止部２５から引き抜く。
【００２２】
防護板２１と隣接する防護板２１との合わせ目４１は、図１に示すように、支持杭１により支持させることが望ましい。
【００２３】
（５）連続防護板の多段配設
上記連続防護板３８を傾斜地３に上下方向に多数段設ける。
【００２４】
【発明の効果】
以上説明したように、本発明によれば、支持杭と防護板とを予め製造しておき、現場では支持杭をヘリコプターにより空中から傾斜地に投下立設すると共に防護板をヘリコプターにより吊り下げて支持杭に立て掛けることにより傾斜地に連続防護板を多数段設けるようにしたため、工事に要する期間は短縮され、工事に要する費用も軽減される。更に、現場での工事をヘリコプターにより行うようにしたため、土砂の崩落による作業員の危険は排除される。
【図面の簡単な説明】
【図１】連続防護板を示す正面図である。
【図２】連続防護板を複数段設けた状態を示す側面図である。
【図３】同上の平面図である。
【図４】傾斜地に投下される支持杭の断面図である。
【図５】支持杭の一部を示す断面図である。
【図６】吊り下げられた防護板の断面図である。
【図７】防護板における鉄筋を鉄線により結束した状態を示す正面図である。
【図８】防護板の平面断面図である。
【符号の説明】
１  支持杭
３  柱体
３ａ  下端
５  鉄筋
７  下部
９  おねじ
１１  基部
１３  めねじ
１５  尖端
２１  防護板
２３  板状体
２３ａ  上縁
２５  係止部
２７  鉄筋
２９  屈曲部
３１  鉄筋
３３  交差部
３４  鉄線
３５  傾斜地
３７  フック部
３８  連続防護板
３９  吊り下げ紐
４１  合わせ目
【図１】
0003704110.tif 000002
【図２】
0003704110.tif 000003
【図３】
0003704110.tif 000004
【図４】
0003704110.tif 000005
【図５】
0003704110.tif 000006
【図６】
0003704110.tif 000007
【図７】
0003704110.tif 000008
【図８】
0003704110.tif 000009